(57)【要約】【課題】本発明は、消費者が店鋪に行き、店鋪が保証した商品の価格について記憶し、複数の店鋪を回った後でその記憶した情報に基づき最も安い価格の店鋪に商品の発注を行うことができる商品購入装置に関するものである。【解決手段】店鋪名情報、連絡情報、価格情報を少なくとも含む仮購入情報を１以上記憶可能な記憶部を有し、該記憶部から仮購入情報を読み出し表示する表示手段と、表示した仮購入情報から選択した仮購入情報と発注情報を仮購入情報の連絡情報に対応する受信装置に送信する送信手段とを有することを特徴とする商品購入支援装置。【選択図】図１
2004145788.tif 000002
【特許請求の範囲】
【請求項１】
店鋪名情報、連絡情報、価格情報を少なくとも含む仮購入情報を１以上記憶可能な記憶部を有し、該記憶部から仮購入情報を読み出し表示する表示手段と、表示した仮購入情報から選択した仮購入情報と発注情報を仮購入情報の連絡情報に対応する受信装置に送信する送信手段とを有することを特徴とする商品購入支援装置。
【請求項２】
店鋪に設置する店鋪端末と消費者が有するユーザー端末とネットワークを介して接続するサーバ装置であり、該サーバ装置は店鋪名情報、連絡情報、価格情報を少なくとも含む仮購入情報を１以上記憶可能な記憶部を有し、該記憶部から仮購入情報を読み出し前記ユーザー端末に送信し表示させる表示手段と、ユーザー端末から受信した仮購入情報と発注情報を、仮購入情報の連絡情報に対応する店鋪端末に送信する送信手段とを有することを特徴とする商品購入支援装置。
【発明の詳細な説明】
【０００１】
【発明の属する技術分野】
本発明は、消費者が店鋪に行き、店鋪が保証した商品の価格について記憶し、複数の店鋪を回った後でその記憶した情報に基づき最も安い価格の店鋪に商品の発注を行うことができる商品購入装置に関するものである。
【０００２】
【従来の技術】
多くの商品は販売価格が販売店毎に異なり、消費者としては最も安い価格で購入したいと思っているが、従来は消費者が書く店鋪を回り、価格を確認し、複数の店鋪を回った後、最も安かった店鋪に戻り商品を購入していた。
【０００３】
【発明が解決しようとする課題】
従来の商品購入方法では、消費者は最終的に最も価格が安かった店鋪に戻らなければならず、煩わしかった。また、近郊の店鋪であればまだ良いが、離れた場所の店鋪であれば、消費者が払う労力は大変なものであった。
【０００４】
そこで本発明は、上記問題点を解消し、最終的に最も安い店鋪の確認が容易に行え、店鋪に戻ることなく、店鋪が保証した価格で商品を購入することができる商品購入支援装置を提供する。
【０００５】
【課題を解決するための手段】
請求項１の発明は、店鋪名情報、連絡情報、価格情報を少なくとも含む仮購入情報を１以上記憶可能な記憶部を有し、該記憶部から仮購入情報を読み出し表示する表示手段と、表示した仮購入情報から選択した仮購入情報と発注情報を仮購入情報の連絡情報に対応する受信装置に送信する送信手段とを有することを特徴とする商品購入支援装置である。
【０００６】
請求項２の発明は、店鋪に設置する店鋪端末と消費者が有するユーザー端末とネットワークを介して接続するサーバ装置であり、該サーバ装置は店鋪名情報、連絡情報、価格情報を少なくとも含む仮購入情報を１以上記憶可能な記憶部を有し、該記憶部から仮購入情報を読み出し前記ユーザー端末に送信し表示させる表示手段と、ユーザー端末から受信した仮購入情報と発注情報を、仮購入情報の連絡情報に対応する店鋪端末に送信する送信手段とを有することを特徴とする商品購入支援装置である。
【０００７】
【発明の実施の形態】
第１の発明を実施例に従い説明する。本実施例の商品購入支援装置は携帯電話等の携帯端末である。本携帯電話は記憶部、表示部、選択部、送信部を有する。本携帯電話の記憶部は、店鋪名情報、連絡情報、価格情報を少なくとも含む仮購入情報を１レコードとして、１以上記憶可能である。ここで、連絡情報とは店鋪の電話番号、ＦＡＸ番号、店鋪が運営するホームページのアドレスの何れかである。
次に図１に示すブロック図に従い本携帯端末を用いた商品購入の手順を説明する。まず消費者は店鋪へ行き、欲しい商品の価格を店員と交渉する。固定価格の場合もあれば交渉により値引きのある場合もある。ここで、消費者は携帯端末に前記仮購入情報を記憶する（記憶手段１）。仮購入情報の入力は消費者が直接入力することも、店員が消費者の携帯端末を使って入力することも、店員が店鋪の端末に入力し、ネットワークを使って消費者の携帯端末へ送信して入力することもできる。ここで、価格の保証を必要とする場合は、店員が固有のパスワード、暗号等を入力し、記憶させることで、価格情報の改竄を防止できる。
【０００８】
消費者は複数の店鋪に行き、前記操作をくり返し、各店鋪毎の仮購入情報を記憶部へ記憶する。消費者は複数の店鋪に行った後、携帯電話の記憶部から仮購入情報を読み出す。仮購入情報は店鋪毎の仮購入情報を１レコードとして表示部に表する（表示手段２）。消費者は表示した仮購入情報の中から最も安い価格情報を有する仮購入情報を選択し決定する。この選択操作は携帯端末の選択部（テンキー、操作キー等）を使って行う。選択決定されることで、記憶部から発注情報、及び個人情報（氏名、住所等）を読み出す。そして前記仮購入情報、発注情報、個人情報とを、該仮購入情報の連絡情報に基づき送信部により送信する（送信手段３）。
【０００９】
仮購入情報、発注情報、個人情報を受信した店鋪は、発注を受け付け、仮購入情報の商品を個人情報の住所、氏名へ郵送する。そして仮購入情報の価格情報に基づく金額を請求する。
【００１０】
次に本第２の発明を実施例に従い説明する。第２の発明に関わる装置はサーバ装置である。該サーバ装置はネットワークを介して店鋪端末、ユーザー端末に接続する。ユーザー端末とは設置端末、携帯端末である。サーバ装置は記憶部、送信部を有する。
【００１１】
本サーバ装置の記憶部は、店鋪名情報、連絡情報、価格情報を少なくとも含む仮購入情報を１レコードとして、１以上記憶可能である。ここで、連絡情報とは店鋪の電話番号、ＦＡＸ番号、店鋪が運営するホームページのアドレスの何れかである。
次に図２に示すブロック図に従い本サーバ装置を用いた商品購入の手順を説明する。まず消費者は店鋪へ行き、欲しい商品の価格を店員と交渉する。固定価格の場合もあれば交渉により値引きのある場合もある。ここで、店員は店鋪端末から消費者を特定する個人情報と仮購入情報を入力し、該仮購入情報をサーバ装置へ送信する。該サーバ装置は個人情報と仮購入情報を記憶部に記憶する（記憶手段１０）。ここで、価格の保証を必要とする場合は、仮購入情報と共に店員が固有のパスワード、暗号等を入力し、サーバ装置に仮購入情報と関連づけて記憶させることで、価格情報の改竄を防止できる。
【００１２】
消費者は複数の店鋪に行き、前記操作をくり返し、各店鋪の店員によって各店鋪毎の仮購入情報を記憶部へ記憶する。２店鋪目からは予め個人情報がサーバ装置に記憶されているため個人情報に関連付けれれた氏名のみ、会員番号のみの入力でも良い。消費者は複数の店鋪に行った後、携帯端末からサーバ装置へ接続し、自身の個人情報に関連付けて記憶されている仮購入情報を読み出し、携帯端末へ送信し携帯端末の表示部に仮購入情報を表示する（表示手段１１）。仮購入情報は店鋪毎の仮購入情報を１レコードとして表示部に表する。消費者は表示した仮購入情報の中から最も安い価格情報を有する仮購入情報を選択し決定する。この選択操作は携帯電話の選択部（テンキー、操作キー等）を使って行う。選択決定されることで、当該仮購入情報と、携帯端末の記憶部から読み出した発注情報をサーバ装置へ送信する。サーバ装置は受信した発注情報を当該仮購入情報に関連付けて記憶部に記憶する。そして前記仮購入情報、発注情報、個人情報とを、該仮購入情報の連絡情報に基づき送信部により店鋪端末に送信する（送信手段１２）。
【００１３】
仮購入情報、発注情報、個人情報を受信した店鋪端末は、発注を受け付け、仮購入情報の商品を個人情報の住所、氏名へ郵送する。そして仮購入情報の価格情報に基づく金額を請求する。
【００１４】
店鋪端末は一度サーバ装置へ記憶した価格情報をさらに安くする等の価格情報の更新や、広告情報をサーバ装置へ送信し記憶させることもでき、消費者が返ったあとにも商品購入を促すことができる。
【００１５】
【発明の効果】
請求項１の発明は、消費者にとって、複数の店鋪から最も安い価格で販売する店鋪を容易に選ぶことができ、購入を決定した時に再度その店鋪に行くことなく商品を、来店時に得た価格で購入することができる。しかも、この一連の操作を自身が所有する携帯端末で行うことができるため、新たな装置が必要無く容易に導入することができる。
【００１６】
請求項２の発明では、消費者にとって、複数の店鋪から最も安い価格で販売する店鋪を容易に選ぶことができ、購入を決定した時に再度その店鋪に行くことなく商品を、来店時に得た価格で購入することができる。しかも、この一連の操作を自身が所有する携帯端末とサーバ装置を接続することで行うことができるため、新たな装置が必要無く容易に導入することができる。また店鋪にとっては店鋪端末は一度サーバ装置へ記憶した価格情報をさらに安くする等の価格情報の更新や、広告情報をサーバ装置へ送信し記憶させることもでき、消費者が返ったあとにも商品購入を促すことができる。この操作を店鋪の端末とサーバ装置を接続することで行うことができるため、新たな装置が必要無く容易に導入することができる。
【図面の簡単な説明】
【図１】本第１の発明の一実施例に係わるブロック図である。
【図２】本第２の発明の一実施例に係わるブロック図である。
【符号の説明】
１、１０・・・記憶手段
２、１１・・・表示手段
３、１２・・・送信手段
【図１】
2004145788.tif 000003
【図２】
2004145788.tif 000004